Podtech/llm-jp-corpus-v4-ja_patent huggingface dataset:
(57)【要約】      （修正有）【課題】  釣り針に、竿とリールに繋がったままのハリスを、手動で素早く正確に結べる器具を提供する。【解決手段】  釣り針の、ちもと部付近を本体１先端部隙間に差し込み、ボルト２とナット７で締め付けておき、最後部のハリス留め具４に挟まれて固定されているハリスを、ガイド溝５に沿って軽く引っ張りながら針軸に巻きつけて、ハリス結びができるようにした。【選択図】図１
2007222142.tif 000002
【特許請求の範囲】
【請求項１】
樹脂製直方体の中央付近側面に、たわみを援助するクッション穴を貫通させ、先端部から穴まで釣り針を掴むための隙間と、それを締め付ける固定具を設け、穴から後部までの片面にハリスガイド溝を作り、最後部でハリス留め溝と、落下防止のストラップ用金具を設けたハリス結び具である。
【発明の詳細な説明】
【技術分野】
【０００１】  本発明は、魚釣り中に釣り針だけを無くした時、釣り竿とリールに繋がったままのハリスに、新しい釣り針を手動で素早く、正確に結び直せる器具に関するものである。
【背景技術】
【０００２】  小さな釣り針にハリスを括るのは初心者には難しく、従来、電動ハリス結び機などが市販されているが、これらは形が大きく携帯に不向きで、釣り現場での仕掛けの変更に要する迅速性に対応できない物が多かった。
【発明の開示】
【発明が解決しようとする課題】
【０００３】  手動で結ぶには、魚が釣れだした時の気持ちのあせりを克服し、下記の条件を考慮しながら正確に結ばなければならない。
▲１▼指先に隠れてしまう程の小さな針とハリスをいかに同時に保持するか。
▲２▼ハリスを針軸に５〜８回位巻く時、重なって団子状にならないようにする。
▲３▼ハリスを巻いている途中に緩んでこないようにすること。
▲４▼針軸に対してハリスがいかに、弛みなく、平行に保持される状態にするには、竿の先が曲がるほど強くひっぱっておく必要がある。
等、これらはある程度経験を積まなければ難しかった。
本発明は、これらの問題点を解決するためになされたものである。
【課題を解決するための手段】
【０００４】  軽量な樹脂製本体（１）の先端（８）に、釣り針（１０）のちもと部付近を差し込み、ボルト（２）を締めて固定する。釣竿に繋がったままのハリス（１１）を、釣り針に巻きつけるに必要な量を残してハリス留め溝（９）で固定する。その後、ガイド溝（６）に沿って緩みのない状態で引っ張りながら、針軸に巻きつけていくことによって、簡単にハリス結びができるようにした器具である。
【発明の効果】
【０００５】  従って、次のような効果がある。
▲１▼従来、釣り竿の穂先と手元の２点を注視しながら結んでいたが、手元だけに集中できる。
▲２▼ハリスを竿の先から強くひっぱる必要がない為、竿を置く位置は何処でもよく、穂先が折れる原因が著しく減少する。
▲３▼針軸に対してハリスが、弛みなく平行な状態に保持されるから、針軸に数回巻く時に、途中で緩んだり重なって団子状にならない。
▲４▼樹脂製で軽く、形状も小さくて携帯に便利である。
▲５▼この器具は、ちもと部付近を掴むだけだから小さな針でも、針軸がはっきり見えてハリスが巻き易い。
【発明を実施するための最良の形態】
【０００６】▲１▼本体（１）は軽量な樹脂製で、先端部に釣り針を挟む隙間（８）があり、たわみを援助するクッション穴（４）の所まで続き、その後、片面だけにハリスが埋まる程度の深さでガイド溝（６）が最後尾まで続く。
▲２▼本体の先端部は、ハリスを巻き易くするためテーパー状に細くなり、釣り針を掴むために固定具（２）と（７）を使い、ハリスの弛みを防止する為のハリス留め溝（９）と，予備のハリス留め具（５）を設け、その留め具のハリスを締め付ける強さの調整を兼ねた、落下防止用のストラップ金具（３）を設ける。
【図面の簡単な説明】
【０００７】
【図１】本発明の斜視図
【図２】本発明の背面図
【図３】本発明の最後部斜視図
【図４】本発明の使用図
【符号の説明】
【０００８】  １．本体
２．つまみ付きボルト
３．ストラップ金具
４．ハリス留め具
５．ハリスガイド溝
６．クッション穴
７．四角板ナット
８．釣り針差込口
９．ハリス留め溝
１０．釣り針
１１．ハリス
１２．釣り竿
【図１】
2007222142.tif 000003
【図２】
2007222142.tif 000004
【図３】
2007222142.tif 000005
【図４】
2007222142.tif 000006
(57)【要約】【課題】  生鮮野菜、穀物、果物等食品は、温度の影響を受け品質低下や劣化を起こすことが多い。又、箱が密閉状況に近いと食品自体から発生するエチレンガス等により更に品質低下を起こす事となる。【解決手段】  箱の外壁に、アルミホイル等輻射熱に対して高反射率の素材を取り付け、箱の内壁或は壁面内に炭を塗布した生鮮食品保管箱である。【選択図】図１
2007222144.tif 000002
【特許請求の範囲】
【請求項１】
木、ダンボール、発泡プラスチック、プラスチック等の箱の内壁或は壁面内に炭を塗布した生鮮食品保管箱。
【請求項２】
木、ダンボール、発泡プラスチック、プラスチック等の箱の外壁にアルミホイル等輻射熱に対して高反射率の素材を取り付け、箱の内壁或は壁面内には炭を塗布した生鮮食品保管箱。
【発明の詳細な説明】
【技術分野】
【０００１】  本発明は、新鮮野菜、穀物、果物等食品を保管する場合、品質低下や劣化を少なくする事ができる生鮮食品保管箱を提供するものである。
【背景技術】
【０００２】  輸送物の品質低下を防止する為、ダンボール箱の外周にアルミ蒸着シートを貼ったものはあるが、生鮮食品等からでるエチレンガス等食品劣化を助長する物質等の分解や吸着等の対策が施されていない為、充分な鮮度保持は難しい。
【発明の開示】
【発明が解決しようとする課題】
【０００３】  新鮮野菜、穀物、果物等食品を木、ダンボール、発泡プラスチック、プラスチック等の箱に保管する場合、温度の影響を受け発芽や腐敗を起こし食材として使用できなくなる事が多い。又、冷蔵庫等で保管しても温度の影響は緩和されるものの、食品自体から発生するエチレンガス等食品劣化を助長する物質により品質低下や劣化が進んでしまうという問題があった。
本発明は、この問題を解決しようとする生鮮食品保管箱である。
【課題を解決するための手段】
【０００４】  上記問題を解決するため本発明は、木、ダンボール、発泡プラスチック、プラスチック等の箱の外壁にアルミホイル等輻射熱に対して高反射率の素材を取り付け、内壁或は壁面内には炭を塗布した生鮮食品保管箱である。短期間の保管や臭気等の除去を目的にする場合は、箱の内壁面或いは壁面内に炭を塗布した生鮮食品保管箱である。
【発明を実施するための最良の形態】
【０００５】  以下、本発明を実施するための最良の形態について説明する。
生鮮野菜、穀物、果物等食品を木、ダンボール、発泡プラスチック、プラスチック箱等に入れ長期に保管する場合、食品の品質低下や劣化に最も影響を及ぼすのは温度である。そしてこの温度の上昇に最も影響するのが輻射熱である。輻射熱は箱に当たると熱を発し２次輻射熱として食品に照射されるものと、箱を透して直接照射されるものがある。いずれの輻射熱も食品に照射されると、食品の内部に侵入し品質低下や劣化を起こす要因となる。これは、空気中を伝わる伝導熱の影響より遥かに大きい。本発明は、この輻射熱をカットする為、アルミホイル等輻射熱に対して高反射率の素材を箱の外壁に取り付けたものである。輻射熱に対して高反射率の素材は、外部から来た輻射熱の大半をその侵入面側に反射してしまう為、箱を通過する量は非常に少なくなり内部の温度上昇は非常に少なくなることとなる。又、冬場は冷輻射熱をも反射することとなり、食品の凍結防止効果がある。
もうひとつの食品の品質低下の原因は、食品自体から発生するエチレンガス等食品の劣化を助長させる物質である。特に、密閉容器ではこの影響は大きく食品の品質低下は早まる事となる。本発明は、箱内壁或は壁面内に液状の炭を塗布することにより、エチレンガスや有害物質等食品の品質低下原因である物質を吸着分解するものである。これら箱の内壁面或は壁面内に塗布する炭は、酸化還元を繰り返すものであれば長期にその効果を保つことが出来る。又炭は、マイナスイオンを発するので、生鮮食品の鮮度保持効果は更に大きくなる。
又、短期間の保管や臭気の除去等を目的にする場合は、箱の内壁面或いは壁面内に炭だけを塗布した箱でも効果は大きい。
図１は、発泡プラスチック箱の外側にアルミホイル等輻射熱に対して高反射率の素材を取り付け、箱内壁には炭を塗布したものである。アルミホイル等輻射熱に対して高反射率の素材は、１００パーセント湿気や空気を透さないので、箱壁面には食材の呼吸を妨げないための小さな換気孔を設けても良い。
【発明の効果】
【０００６】  箱外壁に取り付けたアルミホイル等輻射熱に対して高反射率の素材は、大気中を通過する輻射熱の大半をカットしてしまう為、箱内は外気温の影響を殆ど受けず安定した定温倉庫に近い状況となる。これにより、生鮮食品の品質低下や劣化は非常に少なくなるばかりか、発芽等も抑制されることとなる。又、冬場は冷輻射熱をもカットされるため、食品の凍結を防止する事ができる。更に、箱内壁或いは壁面内に塗布された炭の効果で、食品自体から発生するエチレンガス等食品劣化を助長する物質を吸着分解、箱内部の空気はいつもクリーンな状態となる。この結果、食品の長期の鮮度保持が可能となるばかりか、食品が発する種々の臭気も抑制される。
又、炭の出すマイナスイオンも生鮮食品の鮮度を保つ役割を果たします。
これらの箱は、生鮮食品ばかりでなく生花や苗木等の長期保存も可能となります。
【図面の簡単な説明】
【０００７】
【図１】  本発明を実施する為の断面図である。
【符号の説明】
【０００８】  １  アルミホイル等
２  蓋
３  換気口
４  炭
５  容器
【図１】
2007222144.tif 000003
(57)【要約】【課題】この発明は魚釣天秤仕掛けにおいて、ハリスの先端の餌付針をできるだけ正確に魚群棚まで送り込むこと。【解決手段】天秤に餌付針を固定して落下させ、魚群棚にてコマセと同時に餌付針を開放する。【選択図】図１
2007222143.tif 000002
【特許請求の範囲】
【請求項１】
魚釣用具で天秤棒の改良型であり、コマセカゴ側に５ｍｍ間隔程の２本の鋼線を下向きに取付けて、餌付針を間に掛け、下から捨餌を刺して固定し、魚群棚まで到達した所で、コマセ撒と同時に、餌付針を開放させる釣果向上天秤である。
【発明の詳細な説明】
【技術分野】
【０００１】この発明は、魚釣天秤仕掛けにおいて、ハリス先端の餌付釣針をできるだけ正確に魚群棚へ送り込む装置である。
【背景技術】
【０００２】従来、仕掛けを入れた時、コマセカゴが先行して降下し、ハリスの長さ分遅れて餌付針が降下していた。
【発明の開示】
【発明が解決しようとする課題】
【０００３】そのため次のような問題点が生じていた。
（イ）棚に到達する前に、餌取魚（外道等）に餌を取られ棚まで届かないことが多い。
（ロ）降下時に餌が回転するため、ハリスに縒が入り糸絡みの原因となる。
（ハ）餌付針がコマセより上層を流れるため、喰いが悪い。
本発明は以上の問題点を解決したものである。
【課題を解決するための手段】
【０００４】魚釣用天秤に餌針固定金具を取付け、餌針を固定し、コマセカゴと同時に魚群棚に到達させ開放する。
【発明の効果】
【０００５】したがって、落下の途中で餌取魚（外道等）に餌を取られないでハリスの絡みも少なくなり、狙った棚でコマセの中を餌付針が流れるので釣れる確率が高くなる。
【発明を実施するための最良の形態】
【０００６】以下、本発明の実施形態について説明する。
（イ）天秤棒（１）に餌固定金具（２）を取付ける。
（ロ）固定金具（２）に餌付針（３）を掛け、その下から捨餌を刺し、餌付針を押さえ、固定して打入する。
（ハ）魚群棚に到達したコマセカゴ（４）を振る際の水圧により、捨餌と餌付針（３）は固定金具（２）より抜け落ち、コマセの中を流れる。
本発明は以上の構成及び使用方法である。
【図面の簡単な説明】
【０００７】
【図１】  本発明の使用説明図
【図２】  本発明の詳細図
【符号の説明】
【０００８】  １は天秤
２は固定金具
３は餌付針
４はコマセカゴ
５はハリス
【図１】
2007222143.tif 000003
【図２】
2007222143.tif 000004
(57)【要約】【課題】  ペットに食事をさせるときにおきる容器の移動転倒を防ぎ、食べ散らかしても簡単に処理できるようにするために、どんな容器にも簡単に着脱てき衛生的でコンパクトなペットフード容器の付属品を提供する。【解決手段】  折畳んでコンパクトにした両面テープ付きのシート１を、そのままペットフード容器の底面に付着させたあと、シートを広げて容器と一体化させ、ペットが食べているときに必然的にペット自身の前足でシートを押さえる事で、容器の移動転倒を防ぎ、食べ散らかしても使用後は容器からはずしてそのまま丸めて処理する。【選択図】図１
2007222145.tif 000002
【特許請求の範囲】
【請求項１】
ペットフード容器の底面に簡単に着脱する事が出来るようにした使い捨てシート。
【発明の詳細な説明】
【発明の詳細な説明】
この発明は、ペットフード容器の底面に大きくひろげることの出来る吸水性のあるシートを付着させ、容器とシートを一体化させて、ペットが食べているときに必然的にペット自身の前足でシートを押さえる事で、容器の移動転倒食べ散らかしを防ぐ製品である。
従来にも容器自体の形態によるものや、滑り止めシートなどを使用したものはあったが、容器が大きかったり、重かったり、複雑だったりし又、食べ散らかしを防ぐことはほとんど出来なかった。
本考案は、その欠点を除く為に考案されたもので、これを図面について説明すれば、ペットの大きさに合わせた寸法のシート１の中央に両面テープ２を付着させ、反対側に折畳んでコンパクトにした製品である。
使用時はそのまま容器の底面に付着させ、ひろげて使用する。
このようにすれば、容器の種類、ペットの大きさにかかわらず容器の移動転倒を防ぐと共に食べ散らかしても容器をはずしてそのまま丸めて処理できるし、シート面にたくさん宣伝文を載せる事が出来る。
【図面の簡単な説明】
【図１】  本発明の折り畳み時の平面図である。
【図２】  本発明の展開時の平面図である。
【符号の説明】
１はシート
２は両面テープ
【図１】
2007222145.tif 000003
【図２】
2007222145.tif 000004
(57)【要約】      （修正有）【課題】交配・遺伝子組み替えによらないで、花の色を転じさせるとともに、転色後退色状態へと速かに進行して行くのを遅らせる方法を提供する。【解決手段】植物の花（ばら・椿・他）の色を、人間の飲料品・食用品・医薬品・薬剤・他を、塗る・吸わせる・蒸発気体の中に存在させる・浸すことにより、転じさせる。【選択図】なし【特許請求の範囲】
【請求項１】
花（ばら・椿・他）の色を、人間の飲料品・食用品・医薬品・薬剤・他を、塗る・吸わせる・蒸発気体の中に存在させる・浸す等の方法により変化させる。（転色させる。）
そして、速かに退色へと進行して行くのを遅らせる。
【発明の詳細な説明】
【発明の詳細な説明】
【技術分野】
【０００１】  植物の含有する成分等と植物の内・外から植物の内部へ入らせた人間の用いる物の成分とを反応させ、植物の花の色を転じさせる。（ピンクから青色を発色させるもの、他）。
【背景技術】
【０００２】  交配・遺伝子組み替え・他は、他者において研究がされている。
【発明を実施するための最良の形態】
【０００３】  切り花を生けている状態で・根がある（生えている）状態で、花びらに反応させる・吸わせる・等の方法で、花の色を転じせしめる。
又、転色の進行速度を落とさせる。
【発明の効果】
【０００４】  ばら・椿においては、青色の発色を、又、他では他の色へと花の色の変化を起こさせられる。
これを観賞したり、写真に撮って長く楽しめる。
(57)【要約】【課題】座り心地とデザインが重視され、企業の大量生産による、利益優先思考が、生活者の実用性、利便性、健康に目を向けたものがなかったので、熟年者高齢者身障者に、これぞ至便というものがなかったので、リビングでより豊かな生活を楽しめるリビングチェアを提供する。【解決手段】豊かな生活場の中心である、日常のリビングの椅子を、実用性、利便性、健康的も、座り心地デザインに増して重視し大企業の大量生産による製法だけに目を向けず、人間の心が伝わる職人の手造り工法でも、文明社会に貢献出来るよう天然木材での生産の創作思考で、特徴が光るリビングチェア椅子である。【選択図】図１
2007222590.tif 000002
【特許請求の範囲】
【請求項１】
（イ）椅子に引き出しを設ける。
（ロ）椅子の側面にボックスを設ける。
（ハ）椅子の背凭れに、スライド式枕台を設ける。
【請求項２】
（イ）椅子の背凭れに、腰背中、首筋を指圧出来る指圧玉をとめる金具を設ける。
（ロ）その金具に、指圧玉をつけ、はずし出来る大小の指圧玉をセットするよう構成するもの。
以上の構成が特徴のリビングチェア
【発明の詳細な説明】
【技術分野】
【０００１】  本発明は家庭のリビングで豊かな暮らしを楽しむ生活の椅子で、熟年者高齢者の足腰体の不自由な人には、特に至便なリビングチェアに関するものである。
【背景技術】
【０００２】  従来のリビングダイニング椅子は、腰かけが目的で座り心地とデザインと面白さが重視され、便利さを重視されたものがなかった。
熟年者高齢者の足腰手体の不自由な人に気配りされた便利な構造のものがなかった。
【発明の開示】
【発明が解決しようとする課題】
【０００３】  そのため次のような問題点があった。
足腰体の不自な熟年者や身障者が、椅子から離れた位置の物を求めるのに苦労していた。
【課題を解決するための手段】
【０００４】  日常目の届く所手元に置きたい健康薬品、その他小物入れ用の引き出しを、手の届く椅子の下に設け、手元にあれば便利な生活用品を収納するボックスを椅子の両側面に設ける。椅子の背凭れを、体の指圧健康にも役立てるように指圧玉が自分で手軽にセット出来るリクライニングも出来るリビングチェア。
【発明の効果】
【０００５】  本発明は足腰体の不自由な熟年者、高齢者、身障者が、リビングで豊かな生活を楽しむために、椅子を座り心地重視、面白さデザイン優先の従来の椅子と違い、便利さと健康重視の発想から創作したので、健康な合理主義の人々にも受け入れられる至便なリビングチェアと成る。
【発明を実施するための最良の形態】
【０００６】  以下本発明の実施の形態について説明する
（イ）リビングチェア（１）の座板（３）の下に引き出し（１０）を設ける。
（ロ）左右の測面板（２）に測面簡便ボックス（１２）を左右に設ける。
（ハ）肘掛け台座（５）は折り上げ出来るＴ番金具（５−３）を設ける。
台座はテッシュペーパー箱の出し入れ容易にするため固定せず、台座止め磁石（５−２）を設ける。
（ニ）背凭５本格子（４）は背凭リクライニング調整板（６）を設ける。
（ホ）背凭５本格子（４）の２本には雌ネジ金具（１５）を多数設け、指圧玉（１４）を好みの位置にネジ込み止め出来るようにする。
（ヘ）上下スライド式枕台（１３）は、スライド溝付き板（１３−２）と連係に構成しスライド止め玉（１３−３）を設け、背凭５本格子（４）にネジ締めする止め玉キャッチ（１３−４）を設ける。上下スライド式枕台（１３）を支える支え金板（１３−５）を設ける。
（ト）座板（３）と背凭５本格子（４）連係はＴ番（６−３）を設ける。
（チ）背凭リクライニング調整板（６）は、１８０度回転折れするＴ番（６−２）を設ける。
（リ）角形安定脚（７）は測面板（２）にボルト止め構成とする。その脚下にはキャスター（８）とキャスターストッパー付き（９）を設ける。
（ヌ）指圧玉（１４）は付属品として大中小セットに設け、引き出し（１０）に、ケースに納めて収納する。
本発明は以上のような構造工法で構成したもので使用する時は、背凭５本格子（４）を固定した角度を、背凭リクライニング調整板（６）で角度切り替えが出来る。
体調により自分で指圧玉（１４）を好みの場所位置に止めつけて、テレビを見ながら指圧療法が気持ちよく出来る。
測面簡便ボックス（１２）はリビングでの生活にかかせない新聞、雑誌、ティシューペーパー、テレビエアコンのリモコン、老眼鏡、携帯電話などを収納すると至便である。
引き出し（１０）は医薬品他小物入れとして使用する。
椅子の動きを止めたい時は、キャスターストッパー付（９）で止める。
その他好みの座ぶとんを座板（３）に敷く。
【図面の簡単な説明】
【０００７】
【図１】本発明の斜視図
【図２】本発明の後方を示す斜視図
【図３】本発明の側面を示す斜視図
【図４】本発明の分離品の斜視図
【図５】本発明の分離品の正面図
【図６】本発明の分離品の側面を示す断面図
【図７】本発明の分離品の斜視図
【図８】本発明の分離品の平面図
【図９】本発明の分離品の斜視図
【図１０】本発明の分離品の大中小の斜視図
【図１１】本発明の分離品の斜視図
【図１２】本発明の分離品の斜視図
【図１３】本発明の分離品の平面図
【図１４】本発明の分離品の平面図
【図１５】本発明の肘掛け台の構成を示す断面略図
【図１６】本発明の肘掛け台座半回転を示す断面略図
【符号の説明】
【０００８】１            リビングチェア
２            測面板
３            座板
４            背凭５本格子
５            肘掛け台座
５−２        台座止め磁石
５−３        Ｔ番金具
６            背凭リクライニング調整板
６−２        Ｔ番
６−３        Ｔ番
７            角形安定脚
８            キャスター
９            キャスターストッパー付き
１０          引き出し
１１          引き出しつまみ
１２          測面簡便ボックス
１３          上下スライド式枕台
１３−２      スライド溝付き板
１３−３      スライド止玉
１３−４      止め玉キャッチ
１３−５      支え金板
１４          指圧玉
１５          雌ネジ金具
【図１】
2007222590.tif 000003
【図２】
2007222590.tif 000004
【図３】
2007222590.tif 000005
【図４】
2007222590.tif 000006
【図５】
2007222590.tif 000007
【図６】
2007222590.tif 000008
【図７】
2007222590.tif 000009
【図８】
2007222590.tif 000010
【図９】
2007222590.tif 000011
【図１０】
2007222590.tif 000012
【図１１】
2007222590.tif 000013
【図１２】
2007222590.tif 000014
【図１３】
2007222590.tif 000015
【図１４】
2007222590.tif 000016
【図１５】
2007222590.tif 000017
【図１６】
2007222590.tif 000018
(57)【要約】【課題】  従来の手動による洗浄ブラシは、洗浄薬品及び洗浄汚水が握り手に垂れて人体に悪影響を及ぼしていた。柄の形状及び直径が長時間作業するには適していなかった。【解決手段】ブラシ台と柄の間に隙間を設け、洗浄薬品及び洗浄汚水を、握り手に付着しない構造にし、ブラシの柄の部分の直径を作業最適の大きさにし、柄の下部を膨らすことにより、作業性の向上を図った、洗浄ブラシを提供するものである。【選択図】図１
2007222586.tif 000002
【特許請求の範囲】
【請求項１】
ブラシ台と柄の間に隙間を設け、洗浄薬品および洗浄汚水の垂れを、握り手に付着しない構造とした洗浄ブラシ
【請求項２】
柄の下端に滑り止め用の膨らみを設けた洗浄ブラシ
【発明の詳細な説明】
【技術分野】
【０００１】  建物の壁面及び構造物の洗浄
【背景技術】
【０００２】  従来の手動による洗浄用ブラシは、壁面洗浄の際ブラシによる洗浄薬品の塗布及びこすり洗いの時に洗浄薬品が垂れてブラシ台を通じて柄に伝わり、握っている手に付着し、作業者の人体に悪影響を及ぼしていた。【０００３】  又、柄の部分が直径２０ミリメートル程度のもので出来ており、通常の大人の手で握るには小さく、長時間の作業の場合、握力に疲れが出やすい構造であった。特にゴム手袋及びビニール手袋を着用すると疲れが顕著であり、作業中柄が抜け落ちることがあった。
【特許文献１】  特許公開平１１−１３７３３９号  広報
【発明の開示】
【発明が解決しようとする課題】
【０００４】  ブラシ台から垂れて伝わってくる薬品を、握っている手に付着しない構造にする。【０００５】  ブラシの柄の直径、長さ及び構造を最適のものにする。
【課題を解決するための手段】
【０００６】  ブラシ台と柄の間に隙間を設け、洗浄薬品及び洗浄汚水の垂れを握り手に付着しない構造とする。【０００７】  ブラシの柄の下端に滑り止めの用の膨らみを設けと共に、柄の直径、長さを最適のものにする。
【発明の効果】
【０００８】  ブラシ台と柄の間に液体を通す隙間を設け、洗浄薬品及び洗浄汚水の垂れを該隙間に導き、柄の内部を通して落下させ、握っている手に付着しない構造にすることにより、洗浄薬品に使用される酸、アルカリ、合成界面活性剤等の化学物質による皮膚、筋肉、骨への悪影響を防ぐことが出来た。【０００９】  ブラシの柄を下端の部分を膨らみを付けた構造にすることにより、柄の抜け落ちが防げる効果と、小指部分に適正な握力が得られ、手首の柔らかい動きを助ける効果が得られた。【００１０】  又、作業最適の大きさ直径３５ミリメートルにすることにより、ゴム手袋およびビニール手袋を装着した場合でも握力の疲れが大幅に改善され、長時間の作業に適するものとなった。
【発明を実施する為の最良の形態】
【実施例】
【００１１】  以下、本発明の実施の形態を図１から３に基づいて説明する。【００１２】  図において、１はブラシ台。２はブラシ（刷毛）。３は柄本体。４洗浄薬品の垂れを柄の中へ導く為の柄の上部膨らみ部。５は柄の抜け落ちを防ぐ為の下部の膨らみ部。６はブラシ台と柄の隙間。【００１３】  壁面等立面の洗浄の際、２のブラシに洗浄薬品を付け洗浄面に塗布する。洗浄薬品の垂れが、１のブラシ台を伝って６の隙間に導かれ、４、３、５の柄の内部を通って外部へ落下する。【００１４】  塗布した後２のブラシを左右に振り、被洗浄面をこすり洗いを行う際、洗浄汚水も、前述と同じく、１のブラシ台を伝って６の隙間に導かれ、４、３、５の柄の内部を通って外部へ落下する。【００１５】  洗剤の塗布及び洗浄作業は３の柄を手で握り、２のブラシを左右及び上下に摺動させるが、５の膨らみに小指が掛かり、３の抜け落ちを防止できる。
【図面の簡単な説明】
【００１６】
【図１】    本発明の実施形態を示すブラシ本体の側面図である。
【図２】    同じく平面図である。
【図３】    同じく正面図である。
【符号の説明】
１    ブラシ台
２    ブラシ
３    柄（中央部）
４    柄上部（膨らみ部）
５    柄下部（膨らみ部）
６    柄とブラシ台の隙間
【図１】
2007222586.tif 000003
【図２】
2007222586.tif 000004
【図３】
2007222586.tif 000005
(57)【要約】      （修正有）【課題】従来のものは石鹸などの洗浄液が飛散し、ブラシがへたりやすく、へたると爪側面（側爪郭）など汚れがあまり落ちない部分があり、耐久性がない。【解決手段】面ファスナーのフック面２の逆Ｊ字状突起はブラシ先端より表面積が大きいため、ブラシの代用とする。【選択図】図１
2007222581.tif 000002
【特許請求の範囲】
【請求項１】
基礎部分に、面ファスナーのフック面を貼り付けた、爪ブラシ。
【発明の詳細な説明】
【技術分野】
【０００１】本発明は爪ブラシに関するするものである。
【背景技術】
【０００２】爪先の汚れを洗浄するとき、従来のものはブラシを使用している。
【発明の開示】
【発明が解決しようとする課題】
【０００３】従来のものは石鹸などの洗浄液が飛散し、ブラシがへたりやすく、へたると爪側面（側爪郭）など汚れがあまり落ちない部分があり、耐久性がない。
【課題を解決するための手段】
【０００４】面ファスナーのフック面の逆Ｊ字状突起はブラシ先端より表面積が大きいため、ブラシの代用とする。
【発明の効果】
【０００５】面ファスナーのフック面の逆Ｊ字状突起は短かく頑丈なため石鹸などの洗浄液が飛散せず、爪先・指先などの汚れをかきだすため汚れが落ちやすく、へたらず耐久性がある。
【発明を実施するための最良の形態】この発明の最良の形態を図面を参照し説明する。【０００６】図１は、この発明の一実施形態で、基礎部分を柔軟性のある円柱状にし、表面に面ファスナーのフック面を貼り付けたものである。図２は爪先・指先を洗浄している状態を示したものである。図３は柔軟性がある基礎部分を変形させ、爪側面（側爪郭）を洗浄している状態を示したものである。
【実施例】この発明の実施例を図面を参照し説明する。【０００６】図１は、この発明の一実施形態で、基礎部分を柔軟性のある円柱状にし、表面に面ファスナーのフック面を貼り付けたものである。図２は爪先・指先を洗浄している状態を示したものである。図３は柔軟性がある基礎部分を変形させ、爪側面（側爪郭）を洗浄している状態を示したものである。
【図面の簡単な説明】
【０００７】
【図１】この発明の斜視図。
【図２】この発明の使用状態を示す斜視図。
【図３】この発明の爪側面（側爪郭）への使用状態を示す斜視図。
【符号の説明】
【０００８】１  基礎部分
２  面ファスナーフック面
【図１】
2007222581.tif 000003
【図２】
2007222581.tif 000004
【図３】
2007222581.tif 000005
(57)【要約】【課題】  普段着で椅子に腰掛けた状態で手軽にラジウム鉱石によるホルミシス効果を得ることのできる岩盤浴用テーブルを提供すること。【解決手段】  天板１と底板２と両者間に設けられる周壁３とから成るテーブル枠体４において、周壁３の一部に開閉自在なカーテン１３を配設し、底板２の上面に断熱材８とその上面に設けられる加熱プレート９とその上面に重畳されるラジウム鉱石の盤体１０とから成る岩盤浴体１１を載置するとともに、加湿機１２が内設される。  このほか、天板１にガス体吐出口１７を配設したものもある。【選択図】  図１
2007222546.tif 000002
【特許請求の範囲】
【請求項１】
天板と底板と両者間に設けられる周壁とから成るテーブル枠体において、
前記周壁の一部に開閉自在なカーテンを配設し、前記底板の上面に、断熱材とその上面に設けられる加熱プレートとさらにその上面に重畳されるラジウム鉱石の盤体とから成る岩盤浴体を載置するとともに、加湿機が内設されて成る岩盤浴用テーブル。
【請求項２】
前記天板にガス体吐出口が所要に配設されて成る請求項１記載の岩盤浴用テーブル。
【発明の詳細な説明】
【技術分野】
【０００１】
ラジウム鉱石によるホルミシス効果が期待される岩盤浴用テーブルに関する。
【背景技術】
【０００２】
従前からラジウム鉱石を利用した岩盤浴用浴床は提案されているが、ラジウム放射線のミスト状の雰囲気で着座状態での足浴と、足浴の状態で身の回りに吐出されるガス体の吸入による手軽な形態でホルミシス効果を得ることのできる発明は未だ提案されていない。
【発明の開示】
【発明が解決しようとする課題】
【０００３】
本発明は、普段衣で椅子に腰掛けた状態で手軽にラジウム鉱石によるホルミシス効果を得ることのできる岩盤浴用テーブルを提供する。
【課題を解決するための手段】
【０００４】
上記課題を解決する請求項１に記載した岩盤浴用テーブルは、天板と底板と両者間に設けられる周壁とから成るテーブル枠体において、
前記周壁の一部に開閉自在なカーテンを配設し、前記底板の上面に、断熱材とその上面に設けられる加熱プレートとさらにその上面に重畳されるラジウム鉱石の盤体とから成る岩盤浴体を載置するとともに、加湿機が内設されて成る。
請求項２に記載した発明は、請求項１に記載した岩盤浴用テーブルにおいて天板にガス体吐出口が所要に配設されて成る。
【発明の効果】
【０００５】
本発明の岩盤浴用テーブルによれば、テーブル枠体内のラジウム放射線のミスト状の雰囲気での足浴による皮膚からのラドン・トロンまたはラジウムエマナチオンの体内吸収及びカーテンの隙間やガス体吐出口から身の回りに放出されるこれらの気体元素の呼吸器官からの吸入により、手軽に読書などの休息姿勢で生理的代謝の促進、自律神経系統の復調、自然治癒能力の向上等のホルミシス効果を得ることができる。
【発明を実施するための最良の形態】
【０００６】
テーブル枠体の周壁はガラス製や合成樹脂製木製などであり、ラジウム鉱石の盤体とは、天然石の砕石で形成された塊体をセメントで結合成形したものや所要の放射線量に選択されたラジウム鉱石の粉末をセメントに混合して成形したものも含まれる。このほか、テーブル枠体の天板に設けられるガス体吐出口は、単に上方へ開口するものから着座する人体側に向けて開口したり、強制的にガス体を送出するファンが併設されるなどである。
【実施例】
【０００７】
本発明の岩盤浴用テーブルＡを実施例により説明すると、図１に示すように、天板１と底板２と両者間に設けられる周壁３とから成るテーブル枠体４において、底板２の三方に周設される下枠５にはその上面の嵌入溝６に透明な（不透明でもよい。）合成樹脂製の周壁３の下端が嵌着され、周壁３の上端は天板１の下面に凹設された嵌入溝７に嵌着され、下枠５の上端と底板２の上面間に、断熱材８とその上面に加熱プレート９とさらにその上面にラジウム鉱石の多数の塊体をセメントで結合成形した盤体１０とから成る岩盤浴体１１が配設され、岩盤浴体１１の上面要所には加湿機１２が置かれ、周壁３の開口側には両開きのカーテン（ゴム製）１３が開閉自在に垂下されて成る。
【０００８】
このようにして成る岩盤浴用テーブルＡは、椅子に座しカーテン１３を開き素足を岩盤浴体１１に置いて使用される。
すなわち、加熱プレート９の電気コード１４のプラグ１５がコンセント（図外）に差し込まれ、加湿機１２も電源に接続されて運転が開始される。すると、ラジウム鉱石から放射される放射線は加湿機１２のミストによってラドン・トロンまたはラジウムエマナチオンというガス体（気体元素）を発生させ、同時に遠赤外線も放射される。そして、これらのガス体は足の皮膚から体内に吸収され、さらに、カーテン１３と身の回りとの隙間から外部へ放出されるガス体は口や鼻からの吸入により呼吸器官から体内へ吸収され、イオン化作用による生理的代謝が促進されて体内に停滞している老廃物が除去され、自律神経系統の復調が促がされる。これらによって人体の自然治癒能力が高まり、さまざまの病気に効力が発生するというホルミシス効果が得られる。
【０００９】
図２に示す岩盤浴用テーブルＢについて説明すると、テーブル枠体４が６人分用の長尺構造で、内部には前記と同様の岩盤浴体１１が配設され、加湿機１２も内設され、手前側の周壁３の開口部には６組の両開きのカーテン１３が各個に開閉自在に垂下され、天板１の上部には長手方向に沿って幅方向に山形のガス体集合部１６が設けられ、その頂面にガス体吐出口１７が６個開口（各個に開閉自在としてもよい。）されて成る。
【００１０】
このような岩盤浴用テーブルＢは、椅子（図外）に座した状態で同時に６人まで使用でき、加湿機１２から送風圧力によりガス体はガス体吐出口１７より吐出されるから、口や鼻からガス体は効率よく吸入されホルミシス効果が得られ業務用として使用される。
なお、ガス体吐出口１７はガス体集合部１６の頂面からカーテン１３側に曲げて開口する曲げ管（図外）によるものや、仮想線で示すように、ガス体集合部１６のカーテン１３側の斜面に設けるものがあり、岩盤浴用テーブルＡにおいてもガス体吐出口１７は設けることができる。
【産業上の利用可能性】
【００１１】
本発明の岩盤浴用テーブルは、家庭的に使用されるものから、業務用として健康ランドやエステサロン等の健康美容施設に設置されて使用される。
【図面の簡単な説明】
【００１２】
【図１】本発明に係わる岩盤浴用テーブルＡの一部を切断した使用状態の説明図。
【図２】岩盤浴用テーブルＢのカーテン１３の一部を破断した斜視図。
【符号の説明】
【００１３】
１：天板
２：底板
３：周壁
４：テーブル枠体
５：下枠
６：嵌入溝
７：嵌入溝
８：断熱材
９：加熱プレート
１０：盤体
１１：岩盤浴体
１２：加湿機
１３：カーテン
１４：電気コード
１５：プラグ
１６：ガス体集合部
１７：ガス体吐出口
１８：斜面
Ａ乃至Ｂ：岩盤浴用テーブル
【図１】
2007222546.tif 000003
【図２】
2007222546.tif 000004
(57)【要約】【課題】  本発明は、自由に移動できる、ビニール袋で寝たきりの人が仰向けに寝たままで、ベット、布団の上で洗髪が出来る介護洗髪用具を提供する。【解決手段】  首にシャンプークロスを付け、ビニール袋の入口をビニールホースでリング状にし、右後方に排水口を設けた袋の中に頭部を入れ、タンクに溜めてあるお湯を電動ポンプで頭毛に送り、寝たきりの人がベット、布団の上でも仰向けに寝たままで洗髪の出来る様にした、介護洗髪用具。【選択図】図１
2007222575.tif 000002
【特許請求の範囲】
【請求項１】
首にシャンプークロスを付け、ビニール袋の入口をビニールホースでリング状にし、右後方に排水口を設けた袋の中に頭部を入れ、タンクに溜めてあるお湯を電動ポンプで頭毛に送り、寝たきりの人がベット、布団の上でも仰向けに寝たままで洗髪の出来る様にした、介護洗髪用具。
【発明の詳細な説明】
【技術分野】
【０００１】  本発明は介護を必要とする、寝たきりの人の洗髪に関するものである。
【背景技術】
【０００２】  従来ベット、布団の上ではお湯を使用する為、仰向けに寝たままでの洗髪は不可能だったので、専門の機具で風呂に入る時洗髪をしていたが、毛髪、頭皮を清潔に保つことは容易ではなかった。
【発明の開示】
【発明を解決しようとする課題】
【０００３】  以上述べたように、お湯を使用する為、ベット、布団の上で仰向けに寝たままでの洗髪の不可能を可能にする事で、前述の欠点を解決しようとするものである。
【課題を解決するための手段】
【０００４】  ビニール袋の入口を開いたままの状態を保つため、入口の周りをビニールホースでリング状にして、袋の右下に排水口を設ける。耳栓をし、首には防水加工をした、シャンプークロスを付けて、耳、襟へのお湯の浸入を防止する。頭部の安定と洗い易くする為、首に枕を入れて、仰向けに寝る。
【０００５】  タンクに溜めてあるお湯を、電動ポンプで頭毛に送り洗髪する。洗い流したお湯は、排水口よりタンクに溜めて、介護を必要とする寝たきりの人が、ベット、布団の上での洗髪に関する問題を解決している。
【発明の効果】
【０００６】  上述のように、本発明は寝たきりの人が、仰向けに寝たままでの洗髪が可能になり、毛髪、頭皮を常に清潔に保つことが出来る様になった。
【発明を実施するための最良の形態】
【０００７】  周囲にお湯が飛び散ってもベット、布団が濡れないように、ビニール袋の下に、ビニールシートを敷く。【０００８】  首に枕を入れ、頭部を高くして洗い易くし、安定させる。袋のリング状にした入口が後方に倒れないように、リングとタンクＡを、マジックテープで止める。袋の中に頭部を入れ、ポンプのスイッチは手の届く位置に置く。
【実施例】
【０００９】  ビニール袋１の下にビニールシート４を敷く。耳栓をしシャンプークロス２を首に付け、枕３を置き、リング１ａが後方に倒れないように上部をタンクＡにマジックテープで止める。仰向けに寝て頭部をビニール袋に入れる。タンクＡのお湯をポンプＣでホースＤを通して、頭毛に送り洗髪する。洗い流したお湯は排水口１ｂよりホースを通して、タンクＢに溜める。又、ホースＥを長くして室外への排水もできる。
【図面の簡単な説明】
【００１０】
【図１】  本発明の介護洗髪用具の実施を示す平面図である。
【図２】  首に枕を入れた側面図である。
【符号の説明】
【０００１１】１  ビニール袋
１ａ  ビニールのリング
１ｂ  排水口
２  シャンプークロス
３  枕
４  ビニールシート
Ａ  タンク
Ｂ  タンク
Ｃ  電動ポンプ
Ｄ  ホース
Ｅ  ホース
【図１】
2007222575.tif 000003
【図２】
2007222575.tif 000004
(57)【要約】      （修正有）【課題】固定治療に適した治療器具を提供する。【解決手段】上部接触面（瀉的）１と下部接触面（補的）２を接着剤で絶縁しダイオード５の整流作用を高め、さらに前記の上部、下部接触面は広く、長さを短く、また患部への固定を容易にした治療器具。【選択図】図２
2007222573.tif 000002
【特許請求の範囲】
【請求項１】
上部接触面（瀉的）と下部接触面（補的）を絶縁し、ダイオードの整流作用を高め、さらに前記の上、下部接触面は広く、長さを短く、また患部への固定も容易にした治療器具。
【発明の詳細な説明】
【技術分野】
【０００１】  本発明は薄型で皮膚つまり患部への接触面を広くし、ダイオードの整流作用を及ぼすようにした治療器具である。
【背景技術】
【０００２】
2007222573.tif 000003
部に刺激を与えた。また、固定の場合には数本束ねて使用するため治療部位によっては、固定が容易ではなかった。身体が本来有している微小電流に無電源で鍼に対してダイオードの整流作用を及ぼすことによって、血行不良その他の要因により身体局部に偏在した負電荷または正電荷中和させ、これにより身体のバランスを正常状態に回復するようにしたダイオード鍼が、特開平８−２０６１７０号公報
として公知となっている。（特許文献１）
【特許文献１】特開平８−２０６１７０号
【発明の開示】
【発明が解決しようとする課題】
【０００３】
2007222573.tif 000004
く、長さ約２０ｍｍ前後とし患部に固定しながら、他の手技治療など併用出来ることを目的としたものである。【０００４】
2007222573.tif 000005
ものである。
【課題を解決するための手段】
【０００５】  上記課題を解決するために、上部接触面（瀉的）と下部接触面（補的）を絶縁し、ダイオードの整流作用を高め、さらに前記の上、下部接触面は広く、長さを短く、また患部への固定も容易にした治療器具を提供したものである。
【発明の効果】
【０００６】  図１のように長さを短く、接触面を大きく上部接触面（瀉的）、下部接触面（補的）が接着剤で絶縁されダイオードの整流作用を利用したため、以前より治療効果を高めることが出来る。【０００７】  本発明の補瀉絶縁型ダイオード入り治療器具は、電源が不要で半永久的に使用でき、場所を問わず使用することができる。
【発明を実施するために最良の形態】
【０００８】  以下本発明の実施例を添付図面に基づいて説明する。
本発明の補瀉絶縁型ダイオード治療器は、図１で示す上部接触面金属（瀉的）１、及び下部接触面金属（補的）２の黄銅製導電材からできている。溝３は、上部接触面外筒部７の上半分に溝３を付けることにより上部接触面１と下部接触面２の区別をわかりやすくしたものである。図２に示すように上部接触面１の内部面及び下部接触面２の内部面にそれぞれダイオード５の特性を一方向に向けて溶接したものである。そして図３に示す上部外筒部７及び下部内筒部８の隙間に接着剤９を入れ上部接触面１と下部接触面２を組み合わせて絶縁したものである。図４に示す上部接触面１及び下部接触面２の直径は約４０ｍｍあり、また上部接触面１、下部接触面２の間は約２０ｍｍの薄型となり、マジックベルト等で固定できるものとする。皮膚に傷を付けないように面取り４をほどこした。そして、上部接触面１、下部接触面２の間に人差し指と中指を挟んでのマッサージ治療も出来るものとする。図５に示す従来の
2007222573.tif 000006
ｍｍでは、長すぎて固定治療には適していなかった。
【図面の簡単な説明】
【０００９】
【図１】本発明に係る補瀉絶縁型ダイオード入り治療器具を示す外観図である。
【図２】上部接触面部と下部接触面部に方向性を持たせてダイオードを溶接した断面図である。
【図３】上部外筒部と下部内筒部の隙間に接着剤を入れ、絶縁した図である。
【図４】本発明を実施した斜面図である。
【図５】
2007222573.tif 000007
【符号の説明】
１、上部接触面
２、下部接触面
３、溝
４、上部、下部接触面の面取り
５、ダイオード
６、溶接部
７、上部外筒部
８、下部内筒部
９、接着剤
１０、従来の外観
【図１】
2007222573.tif 000008
【図２】
2007222573.tif 000009
【図３】
2007222573.tif 000010
【図４】
2007222573.tif 000011
【図５】
2007222573.tif 000012
(57)【要約】【課題】ロングヘアーをアップスタイルにするに容易な装着にて型崩れせず、安定にした状態に保ち且つ簡単に整った状態に髪留めをする。【解決手段】Ｕ字状ヘアーピンのアーチ部を後頭部に合わせ湾曲した線条体の内側に等間隔且つ平行に固定したものを束ねた髪の毛に水平に差し込むことにより容易な装着にて型崩れせず、安定した状態に保ち且つ簡単に整った状態に髪留めをする。【選択図】図１
2007222576.tif 000002
【特許請求の範囲】
【発明の詳細な説明】
【発明の詳細な説明】
【技術分野】
【０００１】本発明はロングヘアーをアップスタイルにするに容易な装着にて型崩れせず安定した状態に保ち且つ簡単に整った状態に髪留めするための隠し櫛に関する。
【背景技術】
【０００２】従来ロングヘアーをアップスタイルにするにはＵ字状ヘアーピンをあらゆる角度からいく本も差し込みまとめた髪を固定する必要があった。
【発明の開示】
【発明が解決しようとする課題】
【０００３】ロングヘアーをアップスタイルにするには従来Ｕ字状ヘアーピンを単体にて一本ずつ数本差し込むことが必要であり、手間を要するが容易な装着にて型崩れせず、安定した状態に保ち且つ簡単に整った状態に髪留めをする。
【課題を解決するための手段】
【０００４】後頭部の湾曲に合わせた線条体の金属にＵ字状ヘアーピンのアーチ部を線状体に等間隔且つ平行に固定したことを特徴とする隠し櫛の発明。本発明においてロングヘアーをアップスタイルにするに容易な装着にて型崩れせず、安定にした状態に保ち且つ簡単に整った状態に髪留めをする。
【発明の効果】
【０００５】本発明によればロングヘアーをアップスタイルにするに容易な装着にて型崩れせず、安定した状態に保ち且つ簡単に整った状態に髪留めをすることが出来、ピンはすべて髪の中に隠れ外部から見えるのは櫛の上部の一本の線だけであるが故にその上に髪飾り、かんざし等ヘアーアクセサリーを自由に付け得る。
【図面の簡単な説明】
【図１】本発明である櫛状髪留め具の線状部を右にし、斜め上から見た図。
【図２】〔図１〕の櫛を束ねた髪の毛に右側から差し込んだ状態を示す図。
【図１】
2007222576.tif 000003
【図２】
2007222576.tif 000004
【手続補正書】
【提出日】平成18年5月19日(2006.5.19)
【手続補正３】
【補正対象書類名】特許請求の範囲
【補正対象項目名】全文
【補正方法】変更
【補正の内容】
【特許請求の範囲】
【請求項１】
Ｕ字状ヘアピンのアーチ部を後頭部の湾曲に合わせた線条体の金属に等間隔且つ平行に接続固定したことを特徴とする隠し櫛。
(57)【要約】      （修正有）【課題】調理材料で汚れ端で汚れたまな板をきれいにブラシ付まな板水切り器を提供する。【解決手段】長方形の板２（ステンレスまたはプラスチック）の下部に、巾１５ｍｍ程度のゴム３を、上部の先端にブラシ１を付けた。調理材料の切れ端等で汚れたまな板は上部のブラシ１できれいにし、水で流した後は下部のゴム３で水を切る。１本でたわしとふきんの役目が清潔にできて重宝である。【選択図】図１
2007222578.tif 000002
【特許請求の範囲】
【請求項１】
ブラシ付のまな板の水切り器
【発明の詳細な説明】
【発明の詳細な説明】
【発明の属する技術的分野】
【０００１】この発明は、長方形の板（ステンレスまたはプラスチック）の下部に、巾１５ｍｍ程度のゴム等を付け、上部の先端にブラシを設けたものである。
【背景技術】
【０００２】従来は、このような器具はなかった。
【発明が解決しようとする課題】
【０００３】調理でまな板を使用するとき、材料によっては１回１回まな板を洗う必要あるが、その度にたわしを使い、ふきんで拭いてと大変面倒であった。何回も拭けばふきんも汚れて不衛生であった。
【課題を解決するための手段】
【０００４】長方形の板（ステンレスまたはプラスチック）を用意し、下部に、巾１５ｍｍ程度のゴムを、上部の先端にブラシを付けた。調理材料の切れ端等で汚れたまな板は上部のブラシできれいにし、水で流した後は下部のゴムで水を切る。
【発明を実施するための最良の形態】
【０００５】以下、本発明の実施の形態について説明する。
イ長方形の板（ステンレスまたはプラスチック）を用意し、下部に、巾１５ｍｍ程度のゴムを帯状に取り付ける。
ロ上部の先端にブラシを付ける。
【発明の効果】
【０００６】調理材料の切れ端等で汚れたまな板は上部のブラシできれいにし、水で流した後は下部のゴムで水を切る。使い終われば水でサッと流して何回でも清潔に使える。
【図面の簡単な説明】
【図１】本発明品の形態図である。
【符号の簡単な説明】
１ブラシ
２長方形の板
３ゴム
【図１】
2007222578.tif 000003